(57)【要約】      （修正有）【課題】指が直接触れることなく、サンドイッチを持つことやサンドイッチを包装容器等から取り出すサンドイッチトングを提供する。【解決手段】サンドイッチトング１，１０は、相対向して離間配置される一対の操作部４，５と、一対の操作部それぞれの先端に備えられる把持部２，３と、一対の把持部を近接離間自在可能に、一対の操作部の末端を一体的に連結する連結部６と、を備える。また、サンドイッチトング１，１０の把持部２，３は、サンドイッチの表面に食い込む食い込み部を備える。【選択図】図１
0003190821.tif 000002
【実用新案登録請求の範囲】
【請求項１】
相対向して離間配置される一対の操作部と、
前記一対の操作部それぞれの先端に備えられる把持部と、
一対の前記把持部を近接離間自在可能に、前記一対の操作部の末端を一体的に連結する連結部と、
を備えることを特徴とするサンドイッチトング。
【請求項２】
前記把持部が、サンドイッチの表面に食い込む食い込み部を備えることを特徴とする請求項１に記載のサンドイッチトング。
【請求項３】
前記操作部および前記把持部の少なくとも一方が、キャラクタ形状に形成されていることを特徴とする請求項１または請求項２のサンドイッチトング。
【請求項４】
合成樹脂、金属、繊維、紙、木、竹もしくはこれら材料を選択複合して構成されることを特徴とする請求項１から請求項３のいずれかに記載のサンドイッチトング。
【考案の詳細な説明】
【技術分野】
【０００１】
本考案は、サンドイッチを食する際に用いるサンドイッチトングに関するものである。
【背景技術】
【０００２】
従来、サンドイッチを食す際には、サンドイッチを袋や箱から取り出して、直接手に持って食べることが多い。そのため、お手拭で手を拭くか、水道水で手を洗浄するかして、手を清潔にしてから食べる必要があった。また、食後も、ソースやパンくずが手に付着するため、再度、お手拭で手を拭くか、水道水で手を洗浄する必要があった。
【０００３】
そこで、三角形のサンドイッチパックに開封用のミシンを付けて、サンドイッチ上部の包装のみを取り除けるようにすることで、サンドイッチを包装から取り出す必要がなくなり、また、サンドイッチ下部に残った包装部分を持って食べることができるサンドイッチ用の包装袋が提案されている（非特許文献１参照）。また、食べ物に直接触れること、および食べ物により指が汚れること防ぐために、物を挟むのに使用する３本の指およびその付近を覆うカバーが提案されている（特許文献１参照）。
【先行技術文献】
【特許文献】
【０００４】
【特許文献１】特開２００７−０９００１５号公報
【０００５】
【非特許文献１】クイックパック  ｈｔｔｐ：／／ｗｗｗ．ｐａｃｋｗｅｂ．ｂｉｚ／ｃａｔｅｇｏｒｙ／ｖｉｅｗ／ｉｄ／４７１２／［検索日：２０１４年３月１１日］
【考案の概要】
【考案が解決しようとする課題】
【０００６】
しかしながら、非特許文献１に記載の包装袋は、少数のサンドイッチに限定され、包装されているサンドイッチの数が４つや５つといったように多い場合には、サンドイッチ下部に残った包装部分を持って食べることは難しいという問題点があった。また１つずつ取り出して食べたい際には、サンドイッチに直接手を触れることになるという問題点もあった。また、特許文献１に記載の使い捨て指カバーを利用することで、直接触れることなくサンドイッチを持つことができ、また１つずつ取り出すこともできる。しかしながら、大人や子供、男性や女性では、手の大きさや指の太さが異なるために、使い捨て指カバーが大きかったり小さかったりすることで、指やその付近をきちんと覆うことができず、食品に触れてしまうという問題点があった。
【０００７】
そこで、上記課題に鑑みて、本考案では、大人や子供、男性や女性では、手の大きさや指の太さが異なっていても、指が直接触れることなくサンドイッチを持つことができるサンドイッチトングを提供する。また、包装容器や包装フィルム内でサンドイッチ同士が密接している際に、指が直接触れることなく、１つ取り出すことができるサンドイッチトングを提供することを目的とする。
【課題を解決するための手段】
【０００８】
本考案は、上記の課題を解決するために、以下の事項を提案している。なお、理解を容易にするために、本考案の実施形態に対応する符号を付して説明するが、これに限定されるものではない。
【０００９】
（１）  本考案は、相対向して離間配置される一対の操作部（４，５）と、前記一対の操作部それぞれの先端に備えられる把持部（２，３）と、一対の前記把持部を近接離間自在可能に、前記一対の操作部の末端を一体的に連結する連結部（６）と、を備えることを特徴とするサンドイッチトングを提案している。
【００１０】
この発明によれば、サンドイッチを挟むことができ、指が直接触れることなく、サンドイッチを持つことやサンドイッチを包装容器等から取り出すことができる。
【００１１】
（２）  本考案は、（１）のサンドイッチトングについて、前記把持部（２，３）が、サンドイッチの表面に食い込む食い込み部（３ａ，３ｂ，３ｃ）を備えることを特徴とするサンドイッチトングを提案している。
【００１２】
この発明によれば、食い込み部がサンドイッチの表面に食い込むことにより、サンドイッチトングがしっかりとサンドイッチを挟むことができる。
【００１３】
（３）  本考案は、（１）または（２）のサンドイッチトングについて、前記操作部および前記把持部の少なくとも一方が、キャラクタ形状に形成されていることを特徴とするサンドイッチトングを提案している。
【００１４】
この発明によれば、サンドイッチトングの少なくとも一部をキャラクタ形状に形成することにより、利用者を視覚的に楽しませることができる。
【００１５】
（４）  本考案は、（１）から（３）のサンドイッチトングについて、合成樹脂、金属、繊維、紙、木、竹もしくはこれら材料を選択複合して構成されることを特徴とするサンドイッチトングを提案している。
【００１６】
この発明によれば、サンドイッチトングは、成樹脂、金属、繊維、紙、木、竹もしくはこれら材料を選択複合して構成することができる。
【考案の効果】
【００１７】
本考案によれば、指が直接触れることなく、サンドイッチを持つことやサンドイッチを包装容器等から取り出すことができる。
【図面の簡単な説明】
【００１８】
【図１】本考案に係るサンドイッチトングの一例の斜視図である。
【図２】本考案に係るサンドイッチトングの使用図である。
【図３】本考案に係るサンドイッチトングの把持部の変形例である。
【考案を実施するための形態】
【００１９】
以下、図面を用いて、本考案の実施形態について詳細に説明する。なお、本考案形態における構成要素は適宜、既存の構成要素等との置き換えが可能であり、また、他の既存の構成要素との組み合わせを含むさまざまなバリエーションが可能である。したがって、本実施形態の記載をもって、実用新案登録請求の範囲に記載された考案の内容を限定するものではない。
【００２０】
図１から図３を用いて、本考案に係るサンドイッチトングを説明する。
【００２１】
本考案に係るサンドイッチトング１（または１０）は、帯状材を長さ方向の中央部で折り返すことにより形成されている。サンドイッチトング１（または１０）は、Ｕ字型、Ｖ字形状、またはコの字形状に形成される。サンドイッチトング（または１０）は、Ｕ字形状等に形成された状態で利用者に提供されてもよいし、帯状材の状態で利用者に提供され、利用者がＵ字形状等に形成するものであってもよい。
【００２２】
図１に示すように、サンドイッチトング１，１０（以下、サンドイッチトング１と、サンドイッチトング１０とを区別しない場合には、単にサンドイッチトングという）は、把持部２，３と、操作部４，５と、連結部６とを備える。把持部２，３は操作部４，５の先端に設けられ、把持部２，３および操作部４，５は、相対向して設けられる。操作部４，５は、利用者により握られることで、操作部４，５の離間している幅が狭まり、把持部２，３にサンドイッチを挟ませる。連結部６は、操作部４，５の末端、すなわち把持部２，３が備えられているのと逆端において、操作部４，５と一体的に連結している部分である。
【００２３】
サンドイッチトングは、合成樹脂、金属、繊維、紙、木、竹もしくはこれら材料を選択複合して構成される。なお、本実施形態にかかるサンドイッチトングは、コンビニエンスストアやパン屋等にて販売されている複数のサンドイッチが含まれるパッケージ１個に対して、１つ付与され、使い捨て可能である。そのため、コスト的に安価な材料が望ましい。
【００２４】
本考案の実施の形態におけるサンドイッチトングの一例として、図１（ａ）には、把持部２，３が、操作部４，５よりも幅が広い部分を有する円形形状であるサンドイッチトング１を示し、図１（ｂ）には、把持部２，３が操作部４，５と同じ幅の四角形形状であるサンドイッチトング１０を示す。
【００２５】
把持部２，３は、図１の（ａ）（ｂ）に示した形状に限らず、任意の形状に形成することができる。操作部４，５も、同様に、任意の形状に形成することができる。把持部２，３や操作部４，５を、花、動物、漫画やアニメの登場人物といったキャラクタの形状に形成することにより、利用者を視覚的に楽しませることもできる。なお、把持部２，３を、操作部４，５と区別できるような形状とすることで、利用者に指を置く部分を認識させることが可能となる。
【００２６】
サンドイッチトングは、図２（ａ）に示すようにサンドイッチ１００を挟むために用いる。サンドイッチトングにて、サンドイッチ１００を挟むことにより、手指がサンドイッチ１００に直接触れないために、サンドイッチ１００に手指の汚れが付着すること、およびサンドイッチ１００により手指が汚れること防ぐことができる。
【００２７】
また、サンドイッチトングは、図２（ｂ）に示すように、複数のサンドイッチが略隙間なく密接に並べられている中から、１つのサンドイッチ１１０を取り出すために用いる。具体的には、サンドイッチトングの把持部２，３を、サンドイッチ１１０の両側の他のサンドイッチとの境目に入れてサンドイッチ１１０を挟み、操作部４，５を指で押さえて、サンドイッチトングを動かすことにより、サンドイッチ１１０を取り出すことができる。
【００２８】
それにより、サンドイッチを容器等から取り出す際に、サンドイッチ１１０だけでなく、サンドイッチ１１０の両側のサンドイッチにも、手指が直接に触れないために、サンドイッチに手指の汚れが付着すること、およびサンドイッチにより手指が汚れること防ぐことができる。
【００２９】
図２（ａ）に示すように、サンドイッチ１００を挟む場合には、サンドイッチトングは把持部２，３の一方に親指、他方に人差し指と中指とを置いて使用するのが一般的である。そのため、把持部２，３は指２本を並べて置いてもはみ出さない幅を有するのが望ましい。
【００３０】
サンドイッチトングの大きさは、使用されるサンドイッチのサイズに合わせて決まり、折り返し部６から把持部２，３の先端までの長さは、少なくとも、サンドイッチの中心から最も近いサンドイッチの端までの長さであればよい。サンドイッチトングは、使用されるサンドイッチのサイズに合わせて決定されるので、利用者の手の大きさに影響せず、さまざまな利用者が利用しやすい。
【００３１】
図３に、しっかりとサンドイッチを挟むことを可能にするサンドイッチトングの把持部２，３について説明する。
【００３２】
図３（ａ）に示すように、把持部２，３は、内側に複数の突起部３ａを備える。突起部３ａの先端は、図に示すように尖っているのが望ましい。把持部２，３内側の突起３ａがサンドイッチのパンに食い込むことで把持部２，３をずれにくくすることが可能となり、サンドイッチトングがしっかりとサンドイッチを挟むことが可能となる。
【００３３】
また、図３（ｂ）に示すように、把持部２，３は、先端に歯部３ｂを備える。把持部２，３先端の歯部３ｂをサンドイッチのパンに食い込ませることで把持部２，３をずれにくくすることが可能となり、サンドイッチトングがしっかりとサンドイッチを挟むことが可能となる。
【００３４】
図３（ｃ）は図１に示すサンドイッチトングのＡＡ断面の断面図を示す。更に、図３（ｃ）には示すように、把持部２，３は、先端に向かって厚みが薄くなるテーパ部３ｃを先端に備える。把持部２，３先端のテーパ部３ｃをサンドイッチのパンに食い込ませることで把持部２，３をずれにくくすることが可能となり、サンドイッチトングがしっかりとサンドイッチを挟むことが可能となる。
【００３５】
以上説明したように、本考案によれば、指が直接触れることなく、サンドイッチを持つことやサンドイッチを包装容器等から取り出すことができる。
【００３６】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００３７】
１，１０        サンドイッチトング
２，３          把持部
３ａ            突起部
３ｂ            歯型部
４，５          操作部
６              連結部
１００，１１０  サンドイッチ
【図１】
0003190821.tif 000003
【図３】
0003190821.tif 000004
【図２】
0003190821.tif 000005